(57)【要約】      （修正有）【課題】構造物の壁面や天井面などを幅広くかつ効率よく点検することができ、また、作業員の負担を軽減できる構造物の点検器具を提供する。【解決手段】点検器具は、支持軸１１と、支持軸の先端に回転自在に支持され、構造物の表面に当接する複数の転打面を周囲に有する転打子１２を備える転打部１０と、支持軸を支持すると共に、可撓性を備え、転打子が構造物の表面に当接された状態で湾曲可能な支持棹２０と、支持棹に設けられた把持部３０を備える。【選択図】図１
0003230739.tif 000002
【実用新案登録請求の範囲】
【請求項１】
支持軸と、当該支持軸の先端に回転自在に支持され、構造物の表面に当接する複数の転打面を周囲に有する転打子を備える転打部と、
前記支持軸を支持すると共に、可撓性を備え、前記転打子が構造物の表面に当接された状態で湾曲可能な支持棹と、
当該支持棹に設けられた把持部を備えることを特徴とする構造物の点検器具。
【請求項２】
前記支持棹が、構造物の表面に対する支持棹の垂直姿勢で、先端の転打部における支持軸と構造物の表面との間のなす角度が５度〜３０度となるように湾曲可能であることを特徴とする、請求項１記載の構造物の点検器具。
【請求項３】
前記支持棹が、繊維強化複合材料から構成されていることを特徴とする、請求項１または請求項２記載の構造物の点検器具。
【請求項４】
前記支持棹が、ガラス繊維、炭素繊維、ポリアミド繊維のいずれか一の繊維を含む繊維強化複合材料から構成されていることを特徴とする、請求項３記載の構造物の点検器具。
【請求項５】
前記支持軸に固定用凹部が形成され、当該固定用凹部に、前記支持棹の先端部が挿入固定されており、これら支持軸および支持棹が同軸上に一体構造化されていることを特徴とする、請求項１ないし請求項４のいずれか一項に記載の構造物の点検器具。
【考案の詳細な説明】
【技術分野】
【０００１】
本考案は、構造物の点検器具に関し、特に構造物の壁部等を形成するモルタル、タイル、コンクリート等における剥離、劣化、膨張、異物混入等の有無を表面側から点検する際に用いられる点検器具に関する。
【背景技術】
【０００２】
構造物の壁部や天井に吹き付けたモルタルや貼り付けたタイル等に剥離、劣化、膨張、異物混入等が生じると、剥離等を生じている部位が落下し、事故を引き起こす原因となることから、定期的な点検が行なわれている。一般的な点検方法は、点検の作業員が点検用ハンマーで表面を叩打し、その反響音でモルタル等の剥離等部分の有無を判別する方法であり、この方法を打診法と称している。
【０００３】
上記の打診法に対し、本出願人は先に構造体等の点検具を提案した（特許文献１）。この点検具は、操作棹の先端支軸部に回転自在に支持される転打子を備え、作業者が操作棹を手に持って転打子（の転打面）を構造体等の表面に押し当て、この状態で、操作棹を点検箇所の表面に沿って振るか移動させると、転打子の転動時に大きい打撃音が発生し、点検用ハンマーと同様に、剥離等が生じている箇所と健全箇所を判別できるようになっている。
【先行技術文献】
【特許文献】
【０００４】
【特許文献１】特開２００４−２８５８１号公報
【考案の概要】
【考案が解決しようとする課題】
【０００５】
しかしながら、特許文献１の点検具は、転打子を転動させるに際し、操作棹を点検箇所の表面に沿って振るか、移動させる必要があるところ、点検箇所が天井や床面などの水平面である場合は、操作棹を水平面とできるだけ平行になるように寝かせた姿勢で動かさなければならず、天井の場合は、（例えば作業車を利用して）作業者が天井付近まで接近しなければならず、点検効率が非常に悪く、床面の場合は、作業者が腰を屈めなければならず、作業員の負荷が非常に大きい。
【０００６】
また、特許文献１の点検具は、操作棹が伸縮可能なように多段式となっているため、転動子の転動操作時に操作棹のジョイント部にガタつきによる音が発生し、転動子の打撃音にガタつきによる音が加わり、転打音の聴き取りに神経を使うという課題もあった。
【０００７】
本考案は上記課題に鑑みてなされたもので、構造物の壁面や天井面などを幅広くかつ効率よく点検することができ、また、作業員の負担を軽減できる構造物の点検器具を提供することを目的とする。
【課題を解決するための手段】
【０００８】
上記課題を解決するために、本考案に係る構造物の点検器具は、
支持軸と、当該支持軸の先端に回転自在に支持され、構造物の表面に当接する複数の転打面を周囲に有する転打子を備える転打部と、
前記支持軸を支持すると共に、可撓性を備え、前記転打子が構造物の表面に当接された状態で湾曲可能な支持棹と、
当該支持棹に設けられた把持部を備える、
ことを主要な特徴とする。
【０００９】
本考案に係る構造物の点検器具は、
前記支持棹が、構造物の表面に対する支持棹の垂直姿勢で、先端の転打部における支持軸と構造物の表面との間のなす角度が５度〜３０度となるように湾曲可能であることを第２の特徴とする。
【００１０】
本考案に係る構造物の点検器具は、
前記支持棹が、繊維強化複合材料から構成されていることを第３の特徴とする。
【００１１】
本考案に係る構造物の点検器具は、
前記支持棹が、ガラス繊維、炭素繊維、ポリアミド繊維のいずれか一の繊維を含む繊維強化複合材料から構成されていることを第４の特徴とする。
【００１２】
本考案に係る構造物の点検器具は、
前記支持軸に固定用凹部が形成され、当該固定用凹部に、前記支持棹の先端部が挿入固定されており、これら支持軸および支持棹が同軸上に一体構造化されていることを第５の特徴とする。
【考案の効果】
【００１３】
以上説明したように、本考案に係る構造物の点検器具によると、支持棹に可撓性をもたせ、転打子の転動操作時に支持棹を湾曲可能としたから、構造物の天井や床面などの水平面を点検する際に、作業者が支持棹全体を水平面にあわせて大きく傾斜させなくても、構造物の表面に対し転打子を安定して転動させて転打することができ、これにより作業者の点検負担を減らしながら、構造物の壁面から天井面、床面に至るまで広範囲に安定して効率よく、モルタル、タイル等の剥離、劣化、膨張等の有無の点検作業を行うことができるという効果を奏する。
【００１４】
また、本考案に係る構造物の点検器具によると、支持棹の全体を一体な繊維強化複合材料から構成することにより、転打子の転動時の転打音にガタつき音などの雑音が混じることがなく、これにより、転打音がクリアに聞こえ、作業員が転打音の聴き取りに神経を使うことなく、楽に点検作業を進めることができるという効果を奏する。
【図面の簡単な説明】
【００１５】
【図１】本考案に係る構造物の点検器具の全体正面図、
【図２】点検器具の転打部を示す要部拡大図、
【図３】（Ａ）は転打部の支持軸と支持棹の固定構造を示す要部断面図、（Ｂ）は支持棹の基端部と把持部の構造を示す要部断面図、
【図４】（Ａ）は転打部を示す要部縦断面図、（Ｂ）は（Ａ）のＢ−Ｂ線矢視断面図、
【図５】点検器具を用いて構造物の壁面の点検をしている様子を示す側面図、
【図６】転打子が構造物の壁面を転打する様子を示す側面図、
【図７】点検器具を用いて構造物の天井面の点検をしている様子を示す正面図、
【図８】転打子が構造物の天井面を転打する様子を示す側面図、
【図９】転打子が構造物の天井面を転打する様子を側面から見た状態の説明図である。
【考案を実施するための最良の形態】
【００１６】
本考案を実施するための最良の実施形態について、図面を参照して説明する。図１ないし図９は本考案の一実施形態を示すもので、これらの図において、符号Ｓは構造物の点検器具である。
【００１７】
点検器具Ｓは、図１に示すように、転打部１０と、支持棹２０と、把持部３０を備えている。転打部１０は、支持棹２０の先端に取付けられた支持軸１１と、支持軸１１の先端に回転自在に支持された転打子１２を備えている。
【００１８】
転打部１０を詳述すると、図２および図４（Ａ）に示すように、支持軸１１の先端外周に雄ねじ部材１３が回転自在に環着され、雄ねじ部材１３の周囲に転打子１２の雌ねじ穴１４が螺合されている。支持軸１１の先端部には抜け止め用のストッパー１５が取り付けられている。これにより、転打子１２は支持軸１１の先端に回転自在に支持されている。
【００１９】
転打子１２は、ステンレス等の金属製で直径が２５ｍｍ程度の寸法とされ、横断面形状が正六角形でかつ縦断面形状が略円形または略楕円形をもつ多面体に形成されている。転打子１２の外周面には６面の転打面１２ａが形成されている。
【００２０】
支持軸１１は、ステンレス等の金属製からなり、図３（Ａ）に示すように、支持軸１１の基端部に固定用凹部１１ａが形成されている。固定用凹部１１ａには支持棹２０の先端部２０ａが深く挿入されかつ固定されている。固定手段は接着剤でもよいし、螺合でもよい。これにより、支持軸１１は、支持棹２０の先端に同軸上に支持されると共に、支持棹２０の先端と一体構造とされている。
【００２１】
支持棹２０は、図１に示すように、可撓性を備えると共に、先端に行くに従い先細りとなる長尺な支持部材で、本実施形態では全長が１００ｃｍ程度の寸法とされている。支持棹２０は、軽量性、強度、可撓性（柔軟性）を実現するため、繊維強化プラスチック（ＦＲＰ）などの繊維強化複合材料から構成されている。繊維にはガラス繊維や炭素繊維などが用いられる。
【００２２】
繊維強化複合材料は、ガラス繊維や炭素繊維などの長繊維を樹脂等に均一に混ぜ込み、あるいは方向性を持たせたまま含ませることで、軽量で強度が高く、かつ、可撓性（柔軟性）を備える支持棹２０を形成することができる。
【００２３】
支持棹２０は、図１に示すように、先端を真っ直ぐにした直立姿勢から矢印のように先端側を大きく撓ませて、基端部に対し先端を９０度近くまで傾斜させることができる。これにより、支持棹２０を真っ直ぐにした状態では、図５に示すように、把持部３０を手元で把持したまま、構造物の壁面１に転打子１２の転打面を当てて転動させることができ、また、支持棹２０の先端を大きく撓ませると、図７に示すように、把持部３０を大きく傾けることなく、構造物の天井面２や床面に転打子１２の転打面を当てて転動させることができる。
【００２４】
把持部３０は、図３（Ｂ）に示すように、支持棹２０の基端部２０ｂに筒状の把持本体３１が取付けられ、把持本体３１の周囲にスポンジ状の外装体３２が設けられている。
【００２５】
転打部１０は、図６に示すように、構造物の壁面１に対し、回転中心Ｏの周囲に転打子１２を転動させることにより、壁面１に対する転打子１２の転打面１２ａの転打音により、剥離、劣化、膨張、異物混入等の異常の有無を明確に識別することができる。また、図８に示すように、構造物の天井面２に対し、回転中心Ｏの周囲に転打子１２を転動させることにより、天井面２に対する転打子１２の転打面１２ａの転打音により、剥離、劣化、膨張、異物混入等の異常の有無を明確に識別することができる。転打子１２の横断面形状は正五角形ないし正８角形の形状であることが望ましい。
【００２６】
転打部１０からの転打音は、支持棹２０が一体な繊維強化複合材料から構成されており、従来のように伸縮用のジョイント部が存在せずガタつき音が発生しないから、雑音が加わることがなく、点検員はクリアに聴き取れる。
【００２７】
図５は点検器具Ｓを用いて、構造物の壁面１を点検している様子を示している。同図に示すように、点検員（作業員）が点検器具Ｓの把持部３０を手Ｈに持ち、壁面１の点検箇所の高さに合わせて、転打部１０の転打子１２を壁面１に当て、図面の手前から奥方に（あるいは図面の奥方から手前に）移動させると、転打子１２が、図６に示すように、壁面１に沿って回転（Ｒ）し、転打音を発生させる。点検員は、発生する転打音により、当該点検箇所における剥離等の有無を点検できる。
【００２８】
図７は点検器具Ｓを用いて、構造物の天井面２を点検している様子を示している。天井面２に対しては、同図に示すように、点検員が点検器具Ｓの把持部３０を大きく傾けることなく手Ｈに持ち、天井面２の点検箇所の位置に合わせて、転打部１０の転打子１２を天井面２に当てると共に、支持桿２０を湾曲させ、転打部１０の支持軸１１を天井面２と略平行の向きにする（図７および図８に示す例は、把持部３０を天井面２に対し垂直姿勢から約１５度傾けた姿勢で、天井面２と支持軸１１の間の角度αは約１０度〜１５度である）。
【００２９】
この状態で、手Ｈで把持部３０を把持した点検員が、転打部１２を図面の手前から奥方に（あるいは図面の奥方から手前に）移動させると、転打子１２が、図８および図９に示すように、天井面２に沿って回転（Ｒ）し、転打音を発生させる。点検員は、発生する転打音により、当該点検箇所における剥離等の有無を点検できる。
【００３０】
本実施形態によると、本点検器具Ｓを用いて、構造物の壁面１および天井面２の両方を点検することができる。特に、天井面２に対しては、転打子１２を当てて、支持桿２０を湾曲させて、支持軸１１を天井面２と略平行になるようにすることができ、壁面１と同じように、点検員が天井面２の点検作業を楽に効率よく行うことができる。
【００３１】
点検員は、従来のように、脚立や作業台を用いて、手Ｈを天井面２に近づけ、点検器具の支持桿全体を横向きにして点検作業をするといった負担が大きく減るとともに、作業効率が格段に良くなる。
【００３２】
転打部１０からの転打音にガタつき音などの雑音が加わらず、点検員は転打音をクリアに聴き取ることができ、点検員は転打音の聴き取りに神経を使わずに済み、転打による点検作業を楽にかつスムーズに高い精度で進めることができる。
【００３３】
本実施形態によると、本点検器具Ｓを用いることにより、点検作業の時間の大幅な短縮が図れ、また、点検費用の大幅な削減を図ることができる。
【００３４】
点検対象の構造物は、ビル、マンション、工場、事務所等の建築物、一般住宅の他、トンネル等の土木構造物、プール等広く含まれる。点検対象の表面は、建築物の内外壁面、天井面、床面、プールの底面等広く含まれる。
【００３５】
以上説明してきたように、本考案の点検器具は、作業者の負担を軽減しながら、構造物の表面におけるモルタル、タイル、コンクリート等の剥離、劣化、膨張等に対する点検作業を広くかつ効率的に行うことができる。また、本考案の点検器具は、利便性に優れ、構造も簡素で安価な費用で製作できる。
【産業上の利用可能性】
【００３６】
本考案に係る点検器具は、構造物の壁部や天井等を形成するモルタル、タイル、コンクリート等における剥離、劣化、膨張、異物混入等の有無をその表面側から点検する点検器具として、幅広く利用可能である。
【符号の説明】
【００３７】
１  壁面（表面）
２  天井面
１０  転打部
１１  支持軸
１１ａ  固定用凹部
１２  転打子
１２ａ  転打面
１３  雄ねじ部材
１４  雌ねじ穴
１５  ストッパー
２０  支持桿
２０ａ  支持桿の先端部
２０ｂ  支持桿の基端部
３０  把持部
３１  把持部本体
３２  外装体
Ｏ  回転中心
Ｍ  移動
Ｒ  回転
Ｔ  構造物
Ｈ  点検員の手
【図１】
0003230739.tif 000003
【図２】
0003230739.tif 000004
【図３】
0003230739.tif 000005
【図４】
0003230739.tif 000006
【図５】
0003230739.tif 000007
【図６】
0003230739.tif 000008
【図７】
0003230739.tif 000009
【図８】
0003230739.tif 000010
【図９】
0003230739.tif 000011